(57)【特許請求の範囲】
【請求項１】
バッテリ及び複数の負荷間の接続ノードに接続され、前記バッテリから前記複数の負荷に与えられる電圧に重畳されている雑音を、自身のインピーダンスの周波数特性に応じて低減する低減装置において、
前記複数の負荷夫々の作動状態を検知する検知手段と、
該検知手段が検知した作動状態に応じて前記周波数特性を変更する変更手段と、
容量が異なる複数のコンデンサと、
長さ及び／又は太さが異なる複数の電線と
を備え、
前記変更手段は、前記作動状態に応じて、前記複数のコンデンサ及び電線からコンデンサ及び電線夫々を１つずつ選択し、選択したコンデンサ及び電線を接続してなる回路の一方の端子を前記接続ノードに接続するように構成してあること
を特徴とする低減装置。
【請求項２】
バッテリ及び複数の負荷間の接続ノードに接続され、前記バッテリから前記複数の負荷に与えられる電圧に重畳されている雑音を、自身のインピーダンスの周波数特性に応じて低減する低減装置において、
前記複数の負荷夫々の作動状態を検知する検知手段と、
該検知手段が検知した作動状態に応じて前記周波数特性を変更する変更手段と、
容量が異なる複数のコンデンサと、
インダクタンスが異なる複数のコイルと
を備え、
前記変更手段は、前記作動状態に応じて、前記複数のコンデンサ及びコイルからコンデンサ及びコイル夫々を１つずつ選択し、選択したコンデンサ及びコイルを接続してなる回路の一方の端子を前記接続ノードに接続するように構成してあること
を特徴とする低減装置。
【発明の詳細な説明】
【技術分野】
【０００１】
本発明は、バッテリから複数の負荷に与えられる電圧に重畳されている雑音を自身のインピーダンスの周波数特性に応じて低減する低減装置に関する。
【背景技術】
【０００２】
車両には、通常、ラジオ放送、及び／又は、テレビジョン放送に係る放送信号を受信する受信装置、並びに、通信を行う複数の電子制御装置（ＥＣＵ：Electronic Control Unit）が搭載されている。また、バッテリから電線を介して給電されるライト及びブロワモータ等の複数の負荷も車両に搭載されている。
【０００３】
車両内の空間は限定的である。このため、受信装置、又は、通信を行うＥＣＵの周辺には、電線を介してバッテリから給電される複数の負荷が配置されている。従って、車両内では、受信装置が放送信号を受信するためのアンテナ、又は、通信を行うＥＣＵに接続されている信号線が、複数の負荷夫々に接続している電線に接近しており、容量結合によって電圧が電線からアンテナ又は信号線に入る。
【０００４】
放送信号の受信、又は、ＥＣＵの通信で使用される周波数帯域に属する周波数成分を含む雑音が重畳されている電圧がバッテリから電線を介して複数の負荷に与えられている場合、前記雑音が重畳されている電圧が、容量結合によってアンテナ又は信号線に入る。このため、放送信号の受信、又は、ＥＣＵの通信が、アンテナ又は信号線に入った電圧に重畳されている雑音によって妨害される虞がある。
【０００５】
放送信号の受信、又は、ＥＣＵの通信の妨害を抑制するためには、バッテリから複数の負荷に与えられる電圧に重畳されている雑音の周波数成分の中で、放送信号の受信、又は、ＥＣＵの通信で使用する周波数帯域に属する周波数成分を低減する必要がある。
【０００６】
特許文献１には、バッテリから複数の負荷に与えられる電圧に重畳されている雑音の周波数成分の中で、電力線通信で使用する周波数帯域に属する周波数成分を低減する低減装置が記載されている。この低減装置は、電力線通信を行うＥＣＵにバッテリが給電する経路に設けられている。特許文献１に記載の低減装置は、バッテリからＥＣＵに与えられる電圧に重畳されている雑音の周波数成分の中で、電力線通信で使用する周波数帯域に属する周波数成分を低減する。これにより、該周波数成分を低減した電圧がＥＣＵに与えられ、電力線通信の妨害が抑制される。
【先行技術文献】
【特許文献】
【０００７】
【特許文献１】特開２００３−２１２０６５号公報
【発明の概要】
【発明が解決しようとする課題】
【０００８】
バッテリから複数の負荷に与えられる電圧に重畳されている雑音を低減する従来の低減装置として、バッテリ及び複数の負荷間の接続ノードに接続され、電圧に重畳されている雑音を、自身のインピーダンスの周波数特性に応じて低減する低減装置がある。バッテリから複数の負荷に与えられる電圧に重畳されている雑音に係る電流が従来の低減装置に流れることによって、複数の負荷に与えられる電圧の雑音が低減される。
【０００９】
雑音を構成する周波数成分夫々の低減量について、複数の負荷の中で作動中の負荷からなる負荷回路のインピーダンスに対して従来の低減装置のインピーダンスが小さい周波数成分の低減量は大きい。従って、インピーダンスの周波数特性が適切である従来の低減装置をバッテリ及び複数の負荷間の接続ノードに接続することにより、雑音の周波数成分の中で、放送信号の受信、又は、ＥＣＵの通信等で使用される特定の周波数帯域に属する周波数成分を低減することが可能となる。
【００１０】
しかしながら、通常、バッテリが給電する複数の負荷夫々におけるインピーダンスの周波数特性は互いに異なっており、複数の負荷の中で作動している負荷は常に同じではない。従って、バッテリから複数の負荷に与えられる電圧に重畳されている雑音の周波数成分の中で、特定の周波数帯域に属する周波数成分の低減量は、作動中の負荷の変更と共に変化する。
【００１１】
更に、低減装置、及び、作動中の負荷は、低減装置と作動中の負荷とのインピーダンスが一致する周波数近傍で反共振を起こす。このため、低減装置と負荷回路とによって構成される回路のインピーダンスの周波数特性において、低減装置のインピーダンスと負荷回路のインピーダンスとが一致する周波数近傍のインピーダンスは非常に大きい。
【００１２】
これにより、バッテリから複数の負荷に与えられる電圧に重畳されている雑音の周波数成分の中で、反共振を起こす周波数近傍の周波数成分は低減されにくい。作動中の負荷の変更に伴って反共振を起こす周波数が変更され、変更された周波数が特定の周波数帯域に属した場合、バッテリから複数の負荷に与えられる電圧に重畳されている雑音の周波数成分の中で、特定の周波数帯域に属する周波数成分を十分に低減することができない。
【００１３】
以上のように、従来の低減装置には、作動中の負荷の変更と、反共振を起こす周波数の変更とによって、雑音の周波数成分の中で、特定の周波数帯域に属する周波数成分を、常時、十分に低減することができないという問題点がある。
【００１４】
本発明は斯かる事情に鑑みてなされたものであり、その目的とするところは、バッテリから複数の負荷に与えられる電圧に重畳されている雑音の周波数成分の中で、特定の周波数帯域に属する周波数成分を、常時、十分に低減することができる低減装置を提供することにある。
【課題を解決するための手段】
【００１５】
本発明に係る低減装置は、バッテリ及び複数の負荷間の接続ノードに接続され、前記バッテリから前記複数の負荷に与えられる電圧に重畳されている雑音を、自身のインピーダンスの周波数特性に応じて低減する低減装置において、前記複数の負荷夫々の作動状態を検知する検知手段と、該検知手段が検知した作動状態に応じて前記周波数特性を変更する変更手段と、容量が異なる複数のコンデンサと、長さ及び／又は太さが異なる複数の電線とを備え、前記変更手段は、前記作動状態に応じて、前記複数のコンデンサ及び電線からコンデンサ及び電線夫々を１つずつ選択し、選択したコンデンサ及び電線を接続してなる回路の一方の端子を前記接続ノードに接続するように構成してあることを特徴とする。
【００１６】
本発明にあっては、バッテリ及び複数の負荷間の接続ノードに接続されている。複数の負荷夫々の作動状態を検知する。検知した作動状態に応じて、容量が異なる複数のコンデンサと、長さ及び／又は太さが異なる電線とからコンデンサ及び電線夫々を１つずつ選択する。そして、選択したコンデンサの一方の端子を、選択した電線の一端に接続し、選択したコンデンサの他方の端子、又は、選択した電線の他端を、バッテリ及び複数の負荷間の接続ノードに接続する。電線が有するインダクタンス成分は電線の長さ及び／又は太さによって異なる。このため、前述した選択及び接続を行うことで自身のインピーダンスの周波数特性が変更される。バッテリから複数の負荷に与えられる電圧に重畳されている雑音を、変更した自身のインピーダンスの周波数特性に応じて低減する。
【００１７】
検知した作動状態に応じて、自身のインピーダンスの周波数特性を適切に変更することによって、反共振を起こす周波数が特定の周波数帯域に属することを防止することが可能となる。周波数特性の適切な変更は、更に、バッテリから複数の負荷に与えられる電圧に重畳されている雑音の周波数成分の中で、特定の周波数帯域に属する周波数成分を常時、十分に低減することを可能にする。
【００１８】
本発明に係る低減装置は、バッテリ及び複数の負荷間の接続ノードに接続され、前記バッテリから前記複数の負荷に与えられる電圧に重畳されている雑音を、自身のインピーダンスの周波数特性に応じて低減する低減装置において、前記複数の負荷夫々の作動状態を検知する検知手段と、該検知手段が検知した作動状態に応じて前記周波数特性を変更する変更手段と、容量が異なる複数のコンデンサと、インダクタンスが異なる複数のコイルとを備え、前記変更手段は、前記作動状態に応じて、前記複数のコンデンサ及びコイルからコンデンサ及びコイル夫々を１つずつ選択し、選択したコンデンサ及びコイルを接続してなる回路の一方の端子を前記接続ノードに接続するように構成してあることを特徴とする。
【００１９】
本発明にあっては、バッテリ及び複数の負荷間の接続ノードに接続されている。複数の負荷夫々の作動状態を検知する。検知した作動状態に応じて、容量が異なる複数のコンデンサと、インダクタンスが異なるコイルとからコンデンサ及びコイル夫々を１つずつ選択する。そして、選択したコンデンサの一方の端子を、選択したコイルの一端に接続し、選択したコンデンサの他方の端子、又は、選択したコイルの他端を、バッテリ及び複数の負荷間の接続ノードに接続する。これにより、自身のインピーダンスの周波数特性が変更される。バッテリから複数の負荷に与えられる電圧に重畳されている雑音を、変更した自身のインピーダンスの周波数特性に応じて低減する。
【００２０】
検知した作動状態に応じて、自身のインピーダンスの周波数特性を適切に変更することによって、反共振を起こす周波数が特定の周波数帯域に属することを防止することが可能となる。周波数特性の適切な変更は、更に、バッテリから複数の負荷に与えられる電圧に重畳されている雑音の周波数成分の中で、特定の周波数帯域に属する周波数成分を常時、十分に低減することを可能にする。
【発明の効果】
【００２１】
本発明によれば、複数の負荷夫々の作動状態に応じて自身のインピーダンスの周波数特性を変更するため、バッテリから複数の負荷に与えられる電圧に重畳されている雑音の周波数成分の中で、特定の周波数帯域に属する周波数成分を、常時、十分に低減することができる。
【図面の簡単な説明】
【００２２】
【図１】本発明に係る低減装置の要部構成を示す回路図である。
【図２】低減装置及び負荷回路夫々におけるインピーダンスの周波数特性の一例を示すグラフである。
【図３】低減装置及び負荷回路によって構成される回路のインピーダンスの周波数特性を示すグラフである。
【図４】低減装置及び負荷回路夫々におけるインピーダンスの周波数特性の他の例を示すグラフである。
【図５】低減装置及び負荷回路によって構成される回路のインピーダンスの周波数特性を示すグラフである。
【図６】制御部が実行する動作の手順を示すフローチャートである。
【発明を実施するための形態】
【００２３】
以下、本発明をその実施の形態を示す図面に基づいて詳述する。
図１は本発明に係る低減装置の要部構成を示す回路図である。この低減装置１は好適に車両に搭載される。低減装置１は、バッテリ２及び負荷３ａ，３ｂ，・・・，３ｆ間の接続ノード、より詳細にはバッテリ２の正極端子に接続される。
【００２４】
低減装置１は、バッテリ２から負荷３ａ，３ｂ，・・・，３ｆに与えられる電圧に重畳されている雑音を自身のインピーダンスの周波数特性に応じて低減する。具体的には、低減装置１は、雑音を構成する周波数成分の中で、ラジオ放送若しくはテレビジョン放送に係る放送信号の受信、又は、車両に搭載された複数のＥＣＵ間の通信等に使用される特定の周波数帯域に属する周波数成分を低減する。
【００２５】
バッテリ２の正極端子には、低減装置１の他に、スイッチ４ａ，４ｂ，４ｃ夫々の一方の端子と、負荷３ｄ，３ｅ，３ｆ夫々の一方の端子とが接続されている。スイッチ４ａ，４ｂ，４ｃ夫々の他方の端子は負荷３ａ，３ｂ，３ｃ夫々の一方の端子に接続されている。
バッテリ２の負極端子と、負荷３ａ，３ｂ，・・・，３ｆ夫々の他方の端子とは接地されている。
【００２６】
バッテリ２は負荷３ａ，３ｂ，・・・，３ｆ夫々に給電する。負荷３ａ夫々は、スイッチ４ａがオンである場合にバッテリ２によって給電され、スイッチ４ａがオフである場合には給電されない。負荷３ｂ，３ｃ夫々も、負荷３ａと同様に、スイッチ４ｂ，４ｃがオンである場合にバッテリ２によって給電され、スイッチ４ｂ，４ｃがオフである場合には給電されない。負荷３ｄ，３ｅ，３ｆ夫々はバッテリ２によって常に給電されている。
【００２７】
負荷３ａ，３ｂ，・・・，３ｆ夫々は、ライト又はブロワモータ等の車載機器である。負荷３ａ，３ｂ，・・・，３ｆ夫々のインピーダンスの周波数特性は互いに異なっている。
【００２８】
スイッチ４ａ，４ｂ，４ｃ夫々は、ＦＥＴ（Field Effect Transistor）又はバイポーラトランジスタ等の半導体スイッチである。スイッチ４ａ，４ｂ，４ｃ夫々は、図示しない装置、例えば、ＥＣＵによってオン／オフ信号を受け付け、受け付けたオン／オフ信号に従ってオン／オフされる。例えば、オン／オフ信号がＨｉｇｈ及びＬｏｗの２値からなる信号である場合、スイッチ４ａ，４ｂ，４ｃ夫々は、オン／オフ信号がＨｉｇｈであるときにオンになり、オン／オフ信号がＬｏｗであるときにオフになる。
オン／オフ信号は、スイッチ４ａ，４ｂ，４ｃ夫々に入力すると共に、低減装置１にも入力される。
【００２９】
低減装置１は、スイッチ１０，１１，１２，１３、記憶部１４、制御部１５、コンデンサＣ１，Ｃ２、及び、電線Ｗ１，Ｗ２を備える。コンデンサＣ１，Ｃ２夫々の容量は互いに異なっている。電線Ｗ１，Ｗ２夫々の長さ及び太さも互いに異なっている。これにより、電線Ｗ１，Ｗ２のインダクタンス成分は互いに異なっている。
【００３０】
コンデンサＣ１の一方の端子は、バッテリ２の正極端子、及び、コンデンサＣ２の一方の端子に接続されている。コンデンサＣ１の他方の端子はスイッチ１０の一方の端子に、コンデンサＣ２の他方の端子はスイッチ１１の一方の端子に接続している。また、スイッチ１０，１１の他方の端子は、両方とも、スイッチ１２，１３夫々の一方の端子に接続している。
【００３１】
スイッチ１２の他方の端子は電線Ｗ１の一端に、スイッチ１３の他方の端子は電線Ｗ２の一端に接続している。電線Ｗ１，Ｗ２夫々の他方の端子は接地されている。
記憶部１４は制御部１５に接続されている。
【００３２】
スイッチ４ａ，４ｂ，４ｃ，１０，１１，１２，１３、記憶部１４、制御部１５、及び、コンデンサＣ１，Ｃ２は電源ボックスＡに収容されている。
なお、電源ボックスＡ内に電線Ｗ１，Ｗ２が収容されていてもよい。
【００３３】
制御部１５は、スイッチ１０，１１，１２，１３夫々のオン／オフを制御する。具体的には、制御部１５は、スイッチ１０，１１のいずれか一方をオンに、他方のスイッチをオフにし、スイッチ１２，１３のいずれか一方をオンに、他方のスイッチをオフにする。
【００３４】
これにより、コンデンサＣ１，Ｃ２のいずれか一方と、電線Ｗ１，Ｗ２のいずれか一方とからなる回路の一方の端子がバッテリ２の正極端子に接続される。この回路は、コンデンサＣ１，Ｃ２のいずれか一方と、電線Ｗ１，Ｗ２のいずれ一方のインダクタンス成分とによって、直列共振回路として動作する。
【００３５】
コンデンサＣ１，Ｃ２のいずれか一方と、電線Ｗ１，Ｗ２のいずれか一方とからなる直列共振回路のインピーダンスの周波数特性において、インピーダンスは、周波数が共振周波数である場合に極小値となっており、周波数が共振周波数から離れるにつれて大きくなっている。共振周波数は、直列共振回路を構成するコンデンサ及び電線夫々の容量及びインダクタンス成分によって決まる。
【００３６】
バッテリ２から負荷３ａ，３ｂ，・・・，３ｆ夫々に与えられる電圧に重畳されている雑音を構成する周波数成分夫々の低減量は、低減装置１内で構成される直列共振回路、及び、負荷３ａ，３ｂ，・・・，３ｆの中で作動中の負荷によって構成される負荷回路夫々におけるインピーダンスの周波数特性の関係によって決まる。この周波数特性の関係については後述する。
【００３７】
制御部１５は、スイッチ４ａ，４ｂ，４ｃ夫々のオン／オフ信号を各別に受け付け、受け付けたオン／オフ信号から負荷３ａ，３ｂ，・・・，３ｆ夫々の作動状態を検知する。
【００３８】
例えば、オン／オフ信号が前述したようにＨｉｇｈ及びＬｏｗの２値からなり、スイッチ４ａのオン／オフ信号がＨｉｇｈを、スイッチ４ｂ，４ｃ夫々のオン／オフ信号がＬｏｗを示している場合、制御部１５は、負荷３ａ，３ｄ，３ｅ，３ｆ夫々が作動中であり、負荷３ｂ，３ｃ夫々が作動していないと判断する。
【００３９】
記憶部１４には、負荷３ａ，３ｂ，・・・，３ｆ夫々の作動状態に対応づけて、コンデンサＣ１，Ｃ２の中のいずかれ一方のコンデンサと、電線Ｗ１，Ｗ２の中のいずれか一方の電線とが記憶されている。例えば、負荷３ｄ，３ｅ，３ｆ夫々が作動しており、負荷３ａ，３ｂ，３ｃ夫々が作動していない作動状態に対応付けてコンデンサＣ１及び電線Ｗ１が記憶部１４に記憶されている。
【００４０】
制御部１５は、検知した負荷３ａ，３ｂ，・・・，３ｆ夫々の作動状態に対応するコンデンサ及び電線を記憶部１４から読み出すことによって、コンデンサＣ１，Ｃ２及び電線Ｗ１，Ｗ２からコンデンサ及び電線を１つずつ選択する。制御部１５は、選択したコンデンサ及び電線を接続してなる直列共振回路の一方の端子がバッテリ２の正極端子に接続するように、スイッチ１０，１１，１２，１３を各別にオン／オフする。
【００４１】
制御部１５は、例えば、コンデンサＣ１及び電線Ｗ１からなる直列共振回路を構成する場合にはスイッチ１０，１２夫々をオンにし、スイッチ１１，１３夫々をオフにする。このように、制御部１５は、スイッチ１０，１１，１２，１３を各別にオン／オフすることによって、低減装置１のインピーダンスの周波数特性を変更する。
制御部１５は特許請求の範囲における検知手段及び変更手段に該当する。
【００４２】
図２は、低減装置１及び負荷回路夫々におけるインピーダンスの周波数特性の一例を示すグラフである。ここで、制御部１５は、負荷３ｄ，３ｅ，３ｆ夫々が作動し、かつ、負荷３ａ，３ｂ，３ｃ夫々が作動していない作動状態を検知し、検知した作動状態に応じて、コンデンサＣ１及び電線Ｗ１を選択している。
【００４３】
図２には、コンデンサＣ１及び電線Ｗ１からなる直列共振回路におけるインピーダンスの周波数特性５ａが太い実線で、作動中の負荷３ｄ，３ｅ，３ｆからなる負荷回路におけるインピーダンスの周波数特性５ｂが細い実線で示されている。また、図２には、２本の一点鎖線が示されており、２本の一点鎖線で囲まれている周波数帯域は、低減装置１によって雑音を低減すべき特定の周波数帯域である。特定の周波数帯域は、放送信号の受信、又は、ＥＣＵ間の通信等に使用される周波数帯域である。
【００４４】
図２に示すように、インピーダンスの周波数特性５ａにおいて、インピーダンスは、十分に低い周波数領域では周波数の増加と共に小さくなって周波数ｆ１で極小値となっており、周波数ｆ１を超える周波数領域では、周波数の増加と共に大きくなっている。同様に、インピーダンスの周波数特性５ｂにおいては、インピーダンスは、十分に低い周波数領域では周波数の増加と共に小さくなって周波数ｆ２で極小値となっており、周波数ｆ２を超える周波数領域では、周波数の増加と共に大きくなっている。
【００４５】
周波数ｆ１は周波数ｆ２よりも低く、周波数ｆ３で周波数特性５ａ，５ｂのインピーダンスが一致している。周波数ｆ３は、周波数ｆ１よりも高く、周波数ｆ２よりも低い周波数である。
【００４６】
周波数ｆ３よりも低い周波数領域では、周波数特性５ａのインピーダンスが周波数特性５ｂのインピーダンスよりも小さく、周波数ｆ３よりも高い周波数領域では、周波数特性５ｂのインピーダンスが周波数特性５ａのインピーダンスよりも小さい。
【００４７】
各周波数成分において、低減装置１及び負荷回路夫々に流れる電流量の割合は、低減装置１及び負荷回路夫々のインピーダンスによって決まる。負荷回路のインピーダンスに対して低減装置１のインピーダンスが小さければ小さい程、低減装置１に流れる電流の割合が大きい。このため、雑音の周波数成分の中で、負荷回路のインピーダンスに対して低減装置１のインピーダンスが小さい周波数成分程、低減装置１によって低減される周波数成分の量が大きい。
【００４８】
図２に示すように、特定の周波数帯域において、周波数特性５ａのインピーダンスは、周波数特性５ｂのインピーダンスよりも十分に小さい。このため、周波数が特定の周波数帯域に属している交流電流の大部分は低減装置１に流れ、該交流電流が負荷３ｄ，３ｅ，３ｆからなる負荷回路にほとんど流れることはない。従って、バッテリ２から負荷３ｄ，３ｅ，３ｆに与えられる電圧に重畳されている雑音を構成する周波数成分の中で、特定の周波数帯域に属する周波数成分は十分に低減される。
【００４９】
図３は低減装置１及び負荷回路によって構成される回路のインピーダンスの周波数特性を示すグラフである。ここで、低減装置１内では、コンデンサＣ１及び電線Ｗ１によって直列共振回路が構成されており、負荷回路は負荷３ｄ，３ｅ，３ｆからなっている。
【００５０】
図３には、コンデンサＣ１及び電線Ｗ１からなる直列共振回路と、負荷３ｄ，３ｅ，３ｆからなる負荷回路とによって構成される回路におけるインピーダンスの周波数特性５ｃが示されている。また、図２と同様に、２本の一点鎖線によって特定の周波数帯域が示されている。
【００５１】
図３に示すように、周波数特性５ｃにおいて、インピーダンスは、十分に低い周波数領域では、周波数の増加と共に小さくなって周波数ｆ１で極小値になり、周波数ｆ１を超える周波数領域では、周波数の増加と共に大きくなって周波数ｆ３で極大値となる。
【００５２】
周波数ｆ３の近傍では、コンデンサＣ１及び電線Ｗ１からなる直列共振回路のインダクタンス成分と、負荷３ｄ，３ｅ，３ｆからなる負荷回路の容量成分とが反共振を起こすため、インピーダンスが非常に大きい。
【００５３】
雑音、具体的には雑音に係る電流の周波数成分の中で、周波数ｆ３の近傍に属する周波数成分は、低減装置１と負荷３ｄ，３ｅ，３ｆからなる負荷回路との間を往来する。従って、周波数ｆ３が特定の周波数帯域に属しており、バッテリ２及び負荷３ｄ，３ｅ，３ｆ間を接続する電線から、放送信号を受信するためのアンテナ、又は、通信を行うＥＣＵに接続されている信号線等に、周波数ｆ３の近傍の周波数成分を含む雑音が重畳されている電圧が入った場合、放送信号の受信、又は、ＥＣＵの通信等を妨害される。
【００５４】
周波数特性５ｃにおいて、インピーダンスは、周波数ｆ３を超える周波数領域では、周波数の増加と共に小さくなって周波数ｆ２で極小値になり、周波数ｆ２を超える周波数領域では、周波数の増加と共に大きくなっている。周波数が周波数ｆ３未満である場合における周波数特性５ｃは、周波数特性５ａと略同じであり、周波数が周波数ｆ３以上である場合における周波数特性５ｃは、周波数特性５ｂと略同じである。
【００５５】
図３に示すように、コンデンサＣ１及び電線Ｗ１からなる直列共振回路と、負荷３ｄ，３ｅ，３ｆからなる負荷回路とが反共振を引き起こす周波数ｆ３は特定の周波数帯域から外れている。このため、反共振によって、特定の周波数帯域における放送信号の受信、又は、ＥＣＵの通信等が妨害される虞がない。
【００５６】
次に、負荷３ａ，３ｂ，・・・，３ｆの中で、作動中の負荷が、負荷３ｄ，３ｅ，３ｆから、スイッチ４ａのオンによって負荷３ａ，３ｄ，３ｅ，３ｆとなった場合に、低減装置１が行うインピーダンスの周波数特性の変更方法を説明する。
【００５７】
図４は、低減装置１及び負荷回路夫々におけるインピーダンスの周波数特性の他の例を示すグラフである。図４には、コンデンサＣ１及び電線Ｗ１からなる直列共振回路におけるインピーダンスの周波数特性５ａが破線で、負荷３ａ，３ｄ，３ｅ，３ｆからなる負荷回路におけるインピーダンスの周波数特性６ｂが細い実線で示されている。図４には、図２及び図３と同様に、２本の一点鎖線によって特定の周波数帯域が示されている。
【００５８】
図４に示すように、周波数特性６ｂにおいて、インピーダンスは、十分に低い周波数領域では周波数の増加と共に小さくなって、周波数ｆ４で極小値となっており、周波数ｆ４を超える周波数領域では、周波数の増加と共に大きくなっている。ここで、周波数ｆ４は周波数ｆ１よりも高い周波数である。周波数特性５ａ，６ｂについて、周波数ｆ１，ｆ４間の周波数であって特定の周波数帯域に属する周波数ｆ５で、インピーダンスが一致している。
【００５９】
従って、周波数ｆ５の近傍では、負荷３ａ，３ｄ，３ｅ，３ｆからなる負荷回路のインピーダンスは、内部でコンデンサＣ１及び電線Ｗ１からなる直列共振回路が構成されている低減装置１のインピーダンスと略同じである。
【００６０】
このため、バッテリ２から負荷３ａ，３ｄ，３ｅ，３ｆに与えられる電圧に重畳されている雑音の周波数成分の中で、周波数ｆ５の近傍にある周波数成分は十分に低減されない。周波数ｆ５の近傍は特定の周波数帯域内にあるため、バッテリ２が負荷３ａ，３ｄ，３ｅ，３ｆに与える電圧に重畳されている雑音に周波数ｆ５の近傍にある周波数成分が含まれている場合、放送信号の受信、又は、ＥＣＵの通信等が妨害される。
【００６１】
更に、コンデンサＣ１及び電線Ｗ１からなる直列共振回路と、負荷３ａ，３ｄ，３ｅ，３ｆからなる負荷回路とは、前述したように、周波数ｆ５の近傍で反共振を起こす。これにより、コンデンサＣ１及び電線Ｗ１からなる直列共振回路と、負荷３ａ，３ｄ，３ｅ，３ｆからなる負荷回路とによって構成される回路のインピーダンスは、周波数ｆ５の近傍で大きくなっている。
【００６２】
この反共振の作用によっても、バッテリ２から負荷３ａ，３ｄ，３ｅ，３ｆに与えられる電圧に重畳されている雑音の周波数成分の中で、周波数ｆ５の近傍にある周波数成分は十分に低減されない。これにより、バッテリ２が負荷３ａ，３ｄ，３ｅ，３ｆに与える電圧に重畳されている雑音に周波数ｆ５の近傍にある周波数成分が含まれている場合、放送信号の受信、又は、ＥＣＵの通信等を妨害する確率は更に大きい。
【００６３】
しかしながら、制御部１５は、スイッチ４ａ，４ｂ，４ｃのオン／オフ信号から、負荷３ａ，３ｄ，３ｅ，３ｆが作動中であって負荷３ｂ，３ｃが作動していない作動状態を検知し、コンデンサＣ１，Ｃ２及び電線Ｗ１，Ｗ２からコンデンサＣ２及び電線Ｗ２を選択する。制御部１５は、スイッチ１１，１３夫々をオンに、スイッチ１０，１２夫々をオフにする。これにより、低減装置１内では、コンデンサＣ２及び電線Ｗ２からなる直列共振回路が構成され、低減装置１のインピーダンスの周波数特性が変更される。
【００６４】
図４には、コンデンサＣ２及び電線Ｗ２からなる直列共振回路におけるインピーダンスの周波数特性６ａが太い実線で示されている。コンデンサＣ２の容量、及び、電線Ｗ２のインダクタンス成分は、コンデンサＣ２及び電線Ｗ２からなる直列共振回路の共振周波数ｆ６が特定の周波数帯域に属し、かつ、コンデンサＣ１及び電線Ｗ１からなる直列共振回路の共振周波数ｆ１よりも高くなるように予め設定されている。
【００６５】
図４に示すように、周波数特性６ａにおいて、インピーダンスは、十分に低い周波数領域では、周波数の増加と共に小さくなり、周波数ｆ６で極小値になっている。ここで、周波数ｆ６は周波数ｆ１よりも高い。更に、周波数特性６ａにおいて、周波数ｆ６を超える周波数領域では、周波数の増加と共に大きくなっている。
【００６６】
周波数特性６ａは、周波数特性５ａを高周波側にシフトしたような周波数特性になっている。これにより、周波数特性６ａ，６ｂ夫々において、インピーダンスが一致している周波数ｆ７は、周波数ｆ５よりも高くなっている。周波数ｆ７未満の周波数領域では、周波数特性６ａのインピーダンスは周波数特性６ｂのインピーダンスよりも小さく、周波数ｆ７以上の周波数領域では、周波数特性６ａのインピーダンスは周波数特性６ｂのインピーダンスよりも大きい。
【００６７】
低減装置１は、自身のインピーダンスの周波数特性を周波数特性５ａから周波数特性６ａに変更したことによって、特定の周波数帯域では、負荷３ａ，３ｄ，３ｅ，３ｆからなる負荷回路のインピーダンスが低減装置１のインピーダンスよりも十分に小さくなっている。更には、周波数ｆ７が特定の周波数帯域から外れている。
【００６８】
図５は、低減装置１及び負荷回路によって構成される回路のインピーダンスの周波数特性を示すグラフである。ここでは、低減装置１内では、コンデンサＣ２及び電線Ｗ２によって直列共振回路が構成されており、負荷回路は負荷３ａ，３ｄ，３ｅ，３ｆからなっている。
【００６９】
図５には、コンデンサＣ２及び電線Ｗ２からなる直列共振回路と、負荷３ａ，３ｄ，３ｅ，３ｆからなる負荷回路とによって構成される回路におけるインピーダンスの周波数特性６ｃが示されている。また、図５には、図２、図３及び図４と同様に、２本の一点鎖線によって特定の周波数帯域が示されている。
【００７０】
図５に示すように、周波数特性６ｃにおいて、インピーダンスは、十分に低い周波数領域では周波数の増加と共に小さくなって周波数ｆ６で極小値になっており、周波数ｆ６を超える周波数領域では、周波数の増加と共に大きくなって周波数ｆ７で極大値となっている。
【００７１】
周波数ｆ７の近傍では、コンデンサＣ２及び電線Ｗ２からなる直列共振回路のインダクタンス成分と、負荷３ａ，３ｄ，３ｅ，３ｆからなる負荷回路の容量成分とが反共振を起こすため、インピーダンスが非常に大きい。
【００７２】
しかしながら、低減装置１のインピーダンスの周波数特性を周波数特性５ａから周波数特性６ａにシフトしたため、コンデンサＣ２及び電線Ｗ２からなる直列共振回路と、負荷３ａ，３ｄ，３ｅ，３ｆからなる負荷回路とが反共振を引き起こす周波数ｆ７は特定の周波数帯域から外れている。このため、反共振によって、特定の周波数帯域における放送信号の受信、又は、ＥＣＵの通信等が妨害される虞がない。
【００７３】
周波数特性６ｃにおいて、インピーダンスは、周波数ｆ７を超える周波数領域では、周波数の増加と共に小さくなって周波数ｆ４で極小値になり、周波数ｆ４を超える周波数領域では、周波数の増加と共に大きくなっている。周波数が周波数ｆ７未満である場合における周波数特性６ｃは、周波数特性６ａと略同じであり、周波数が周波数ｆ７以上である場合における周波数特性６ｃは、周波数特性６ｂと略同じである。
【００７４】
図４及び図５に示すように、特定の周波数帯域では、コンデンサＣ２及び電線Ｗ２からなる直列共振回路のインピーダンスは、負荷３ａ，３ｄ，３ｅ，３ｆからなる負荷回路のインピーダンスよりも十分に小さく、反共振を起こす周波数ｆ７は特定の周波数帯域から外れている。これにより、バッテリ２から負荷３ａ，３ｄ，３ｅ，３ｆ夫々に与えられる電圧に重畳されている雑音を構成する周波数成分の中で、特定の周波数帯域に属する周波数成分を十分に低減することができる。
【００７５】
負荷３ｄ，３ｅ，３ｆ夫々が作動している場合、及び、負荷３ａ，３ｄ，３ｅ，３ｆ夫々が作動している場合以外の他の場合についても、制御部１５は、コンデンサＣ１，Ｃ２及び電線Ｗ１，Ｗ２からコンデンサ及び電線を１つずつ適切に選択する。
【００７６】
具体的には、制御部１５は、反共振を起こす周波数が特定の周波数帯域から外れ、かつ、低減装置１内に構成される直列共振回路のインピーダンスが作動中の負荷によって構成される負荷回路のインピーダンスに対して十分に小さくなるように、コンデンサＣ１，Ｃ２及び電線Ｗ１，Ｗ２からコンデンサ及び電線を１つずつ適切に選択する。
【００７７】
低減装置１の設計段階では、負荷３ａ，３ｂ，・・・，３ｆの中で作動中である負荷からなる全ての負荷回路夫々におけるインピーダンスの周波数特性が測定される。記憶部１４には、各負荷回路に応じて、コンデンサＣ１，Ｃ２及び電線Ｗ１，Ｗ２の中で、適切なコンデンサ及び電線が１つずつ予め記憶されている。
【００７８】
ここで、適切なコンデンサ及び電線は、反共振を起こす周波数が特定の周波数帯域から外れ、かつ、コンデンサ及び電線からなる直列共振回路のインピーダンスが作動中の負荷によって構成される負荷回路のインピーダンスに対して十分に小さくなるコンデンサ及び電線である。
【００７９】
以上の構成により、低減装置１は、負荷３ａ，３ｂ，・・・，３ｆの中で作動中の負荷夫々にバッテリ２から与えられる電圧に重畳されている雑音の周波数成分の中で、特定の周波数帯域に属する周波数成分を、常時、十分に低減することができる。
【００８０】
図６は、制御部１５が実行する動作の手順を示すフローチャートである。まず、制御部１５は、スイッチ４ａ，４ｂ，４ｃ夫々のオン／オフ信号から負荷３ａ，３ｂ，・・・，３ｆ夫々の作動状態を検知する（ステップＳ１）。
【００８１】
次に、制御部１５は、ステップＳ１で検知した作動状態に対応するコンデンサ及び電線を記憶部１４から読み出すことによって、コンデンサＣ１，Ｃ２及び電線Ｗ１，Ｗ２からコンデンサ及び電線を１つずつ選択する（ステップＳ２）。
【００８２】
制御部１５は、ステップＳ２で選択したコンデンサ及び電線が直列共振回路を構成するように、スイッチ１０，１１，１２，１３夫々を各別にオン／オフする（ステップＳ３）。
制御部１５は、ステップＳ３を実行した後、動作を終了し、改めてステップＳ１を実行する。
【００８３】
なお、電線Ｗ１，Ｗ２の長さ及び太さの両方が互いに異なっている必要はない。電線Ｗ１，Ｗ２の長さ及び太さいずれか一方が互いに異なっていてもよい。長さ又は太さが異なる電線Ｗ１，Ｗ２のインダクタンス成分も互いに異なる。
【００８４】
また、負荷３ａ，３ｂ，・・・，３ｆの中で作動中の負荷からなる負荷回路における周波数特性は、図２及び図４夫々に示されている周波数特性５ｂ，６ｂのような下に凸の周波数特性に限定されない。
【００８５】
また、制御部１５は、検知した負荷３ａ，３ｂ，・・・，３ｆ夫々の作動状態に応じて、コンデンサＣ１，Ｃ２及び電線Ｗ１，Ｗ２からコンデンサ及び電線を１つずつ選択する方法は、記憶部１４からの読み出しに限定されない。例えば、制御部１５は、検知した作動状態を用いた演算によって、コンデンサＣ１，Ｃ２及び電線Ｗ１，Ｗ２からコンデンサ及び電線を１つずつ選択してもよい。
【００８６】
また、低減装置１が備えるコンデンサの数は２つに限定されず、１つ、又は、３つ以上であってもよい。低減装置１が３つ以上のコンデンサを備える場合、３つ以上のコンデンサの容量は互いに異なっている。
【００８７】
低減装置１が備えるコンデンサの数が１つである場合には、制御部１５は、負荷３ａ，３ｂ，・・・，３ｆ夫々の作動状態に応じて複数の電線から１つの電線を選択し、選択した電線と、１つのコンデンサとからなる直列共振回路の一方の端子をバッテリ２及び負荷３ａ，３ｂ，・・・，３ｆ間の接続ノードに接続する。
【００８８】
同様に、低減装置１が備える電線の数は２つに限定されず、１つ又は３つ以上であってもよい。低減装置１が３つ以上の電線を備える場合、３つ以上の電線夫々の長さ及び／又は太さは互いに異なっている。
【００８９】
低減装置１が備える電線の数が１つである場合には、制御部１５は、負荷３ａ，３ｂ，・・・，３ｆ夫々の作動状態に対応する複数のコンデンサから１つのコンデンサを選択し、選択したコンデンサと、１つの電線とからなる直列共振回路の一方の端子をバッテリ２及び負荷３ａ，３ｂ，・・・，３ｆ間の接続ノードに接続する。
【００９０】
また、低減装置１は、容量が異なる複数のコンデンサの代わりに、容量を可変する１つの可変コンデンサを備えてもよい。この場合、例えば、記憶部１４には、負荷３ａ，３ｂ，・・・，３ｆ夫々の作動状態に対応する可変コンデンサの容量が記憶されており、制御部１５は、記憶部１４からの読み出しによって、可変コンデンサの容量を作動状態に応じた容量に調整する。
【００９１】
また、低減装置１は、長さ及び／又は太さが異なる複数の電線の代わりに、インダクタンスが異なる複数のコイル、又は、インダクタンスを可変する１つの可変コイルを備えてもよい。
【００９２】
低減装置１が１つの可変コイルを備える場合、例えば、記憶部１４には、負荷３ａ，３ｂ，・・・，３ｆ夫々の作動状態に応じた可変コイルのインダクタンスが記憶されており、制御部１５は、記憶部１４からの読み出しによって、可変コイルのインダクタンスを作動状態に応じた容量に調整する。
【００９３】
また、制御部１５が負荷３ａ，３ｂ，・・・，３ｆ夫々の作動状態を検知する方法は、スイッチ４ａ，４ｂ，４ｃ夫々のオン／オフ信号から検知する方法に限定されない。例えば、制御部１５は、負荷３ａ，３ｂ，・・・，３ｆ夫々のバッテリ２側の端子の電圧又は電流を検出することによって負荷３ａ，３ｂ，・・・，３ｆ夫々の作動状態を検知してもよい。
【００９４】
また、バッテリ２に接続される負荷の数は、６つに限定されず、２つ以上５つ以下であってもよいし、７つ以上であってもよい。
【００９５】
開示された本実施の形態は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【００９６】
１  低減装置
１５  制御部
２  バッテリ
３ａ，３ｂ，・・・，３ｆ  負荷
Ｃ１，Ｃ２  コンデンサ
Ｗ１，Ｗ２  電線
【図１】
0005842707.tif 000002
【図２】
0005842707.tif 000003
【図３】
0005842707.tif 000004
【図４】
0005842707.tif 000005
【図５】
0005842707.tif 000006
【図６】
0005842707.tif 000007